(57)【要約】      （修正有）【課題】未固化試料層における深度方向の複数の採取位置から同時に未固化試料を採取できる未固化試料の採取装置を提供する。【解決手段】平行な第１の円柱１と第２の円柱２の間に、第１の連結棒３と第２の連結棒４、５、６が第１，２の円柱に対して直交して配設され、第１の連結棒の両端側は、それぞれ固定解除部材７によって第１，２の円柱に固定可能と解除可能に取り付けら、第２の連結棒の一端側は第１の円柱に固定され、第２の連結棒の他端側はスリーブ８を介して第２の円柱に相対的にスライド可能に取り付けられ、第１の円柱に底付き筒１０が固定され、第２の円柱に底付き筒の上部を被覆する上蓋１２が固定される、未固化試料の採取装置。【選択図】図１
2008101415.tif 000002
【特許請求の範囲】
【請求項１】
平行な第１の柱と第２の柱の間に、第１の連結棒と第２の連結棒が前記第１の柱と前記第２の柱に対して直交して配設され、
前記第１の連結棒の両端側は、それぞれ固定解除部材によって前記第１の柱と前記第２の柱に固定可能と解除可能に取り付けられ、
前記第２の連結棒の一端側は前記第１の柱に固定され、前記第２の連結棒の他端側はスリーブを介して前記第２の柱に相対的にスライド可能に取り付けられ、
前記第１の柱に底付き筒が固定され、前記第２の柱に前記底付き筒の上部を被覆する上蓋が固定されることを特徴とする未固化試料の採取装置。
【請求項２】
複数の前記底付き筒が前記第１の柱に所望の間隔で固定され、複数の前記上蓋が前記第２の柱に所望の間隔で固定されることを特徴とする請求項１記載の未固化試料の採取装置。
【発明の詳細な説明】
【技術分野】
【０００１】
本発明は、流動化処理土等の未固化試料を採取する装置に関する。
【背景技術】
【０００２】
従来の未固化試料の採取手段について図３を参照して説明する。
【０００３】
図３は、改良土層２１にサンプラー２２をハンマー等によって打ち込む前の状態（左側）と、サンプラー２２を引き上げる前の状態（右側）を示す断面図である。改良土層２１の深度は、改良天端（表面）２１ａから改良底面２１ｂまでの範囲である。
【０００４】
サンプラー２２は、底を有しない円筒又は角筒等の金属製の筒から構成される。サンプラー２２の下端は、テーパ状に内側に先鋭化するように加工されている。
【０００５】
サンプラー２２を左側の位置からハンマー等によって矢印方向に右側の所要の深度位置まで打ち込む。
【０００６】
すると、サンプラー２２の内部に、改良土がその粘性、粗さ及び硬さ等の因子に応じて押し込まれる。
【０００７】
続いて、サンプラー２２を矢印方向に改良天端２１ａまで引き上げると、改良土の粘性、粗さ、硬さ及び比重等の因子に応じて、サンプラー２２の内部に押し込まれている改良土の一部が残留し、残部がサンプラー２２から落下する。
【発明の開示】
【発明が解決しようとする課題】
【０００８】
前記従来の未固化試料の採取手段では、改良土の諸因子に応じて、サンプラーの内部に改良土の一部しか残留しないので、採取が不十分である。
【０００９】
また、改良土層の深度方向の複数の採取位置から同時に改良土を採取することができないので、採取が不便である。
【００１０】
そこで、本発明は、前記従来の未固化試料の採取手段の欠点を改善し、収容容器の内部に未固化試料が一杯に残留し、しかも、未固化試料層における深度方向の複数の採取位置から同時に未固化試料を採取することができる未固化試料の採取装置を提供しようとするものである。
【課題を解決するための手段】
【００１１】
本発明は、前記課題を解決するため、次の手段を採用する。
【００１２】
１．平行な第１の柱１と第２の柱２の間に、第１の連結棒３と第２の連結棒４，５，６が前記第１の柱と前記第２の柱に対して直交して配設され、前記第１の連結棒の両端側は、それぞれ固定解除部材７によって前記第１の柱と前記第２の柱に固定可能と解除可能に取り付けられ、前記第２の連結棒の一端側は前記第１の柱に固定され、前記第２の連結棒の他端側はスリーブ８を介して前記第２の柱に相対的にスライド可能に取り付けられ、前記第１の柱に底付き筒１０が固定され、前記第２の柱に前記底付き筒の上部を被覆する上蓋１２が固定される未固化試料の採取装置。
【００１３】
２．複数の前記底付き筒が前記第１の柱に所望の間隔で固定され、複数の前記上蓋が前記第２の柱に所望の間隔で固定される前記１記載の未固化試料の採取装置。
【発明の効果】
【００１４】
明細書の説明から明らかなように、本発明は、次の効果を奏する。
【００１５】
１．未固化試料が底付き筒の内部に一杯に収容されるので、採取を十分に行うことができる。
【００１６】
２．未固化試料層における深度方向の複数の採取位置から未固化試料を同時に採取することができるので、採取が便利で迅速である。
【発明を実施するための最良の形態】
【００１７】
本発明の一実施例の未固化試料の採取装置について説明する。
【実施例１】
【００１８】
本発明の実施例１について図１と図２を参照して説明する。
【００１９】
平行な第１の円柱１と第２の円柱２の間に、４本の連結棒３〜６が直交して配設される。各連結棒３〜６の左右両端側は、それぞれ固定解除部材７と一体化される。各固定解除部材７は、第１の円柱１及び第２の円柱２に対して、ねじ又はクランプ等の手段により固定可能であり、また、解除も可能であるように取り付けられている。
【００２０】
ただし、連結棒４〜６の右側の各固定解除部材７の内側には、スリーブ８が固定され、各スリーブ８は第２の円柱２にはまり、第２の円柱２と各スリーブ８は相対的にスライドすることができる。
【００２１】
第１の円柱１における所望の上部・中部・下部の３つの採取位置に、それぞれ固定解除部材９が取り付けられる。各固定解除部材９には、未固化試料を収容するための容器として底付き筒１０が固定される。採取位置は、改良深度に応じて任意に設定される。
【００２２】
第１の円柱１に取り付けられる各固定解除部材９に対応して、第２の円柱２に３つの固定解除部材１１が取り付けられる。各固定解除部材１１には、上蓋１２が固定される。各上蓋１２は、各底付き筒１０の上部を被覆することができる。
【００２３】
未固化試料の採取装置の使用方法について説明する。
【００２４】
未固化試料は、改良土層２１における改良土である。改良天端（表面）２１ａから改良底面２１ｂまでに至る改良深度Ｌ１は、２０００ｍｍである。底付き筒１０のサイズは、幅１００×奥行き１００×高さ１５０ｍｍである。第１，２の円柱１，２の長さＬ２は、３０００ｍｍである。
【００２５】
図１（Ａ）は、採取装置が改良土層２１内に圧入されて、第１，２の円柱１，２の下端が改良底面２１ｂに到達した状態を示す。最上の連結棒３の中央には、ワイヤ１３の下端がかかり、更に、ワイヤ１３の上端はフック１４に吊り下げられている。フック１４は、作業者の手指又はウインチ等によって上昇することができる。
【００２６】
図１（Ａ）の状態においては、各底付き筒１０の上部は、各上蓋１２によって被覆されている。したがって、改良土は、各底付き筒１０内に進入することができない。
【００２７】
まず、図１（Ａ）の状態において、最上の連結棒３の左側の固定解除部材７を緩めて第１の円柱１から解除する。
【００２８】
次に、図１（Ｂ）に示されるように、ワイヤ１３とフック１４を連結棒３の中央から若干右側に移動させた後に矢印上方に約１５０ｍｍ引き上げる。すると、第２の円柱２は矢印上方にスライドするから、各上蓋１２は上方に移動する。したがって、各上蓋１２が各底付き筒１０の上部から離間するので、改良土が破曲線の矢印方向に各底付き筒１０内に進入する。なお、この際、第２の円柱２は、各スリーブ８に対してスライドする。
【００２９】
続いて、図１（Ｂ）の状態において、最上の連結棒３の左側の固定解除部材７を締めて第１の円柱１に固定し、最上の連結棒３の右側の固定解除部材７を緩めて第２の円柱２から解除する。
【００３０】
更に、図１（Ｃ）に示されるように、ワイヤ１３とフック１４を連結棒３の右側から左側に移動させた後に、第１の円柱１の上端が第２の円柱２の上端と同じ高さの位置に来るまで矢印上方に引き上げる。すると、第１の円柱１は矢印上方にスライドし、このとき、各スリーブ８は第２の円柱２に対してスライドする。
【００３１】
最後に、最上の連結棒３の右側の固定解除部材７を締めて第２の円柱２に固定した後に、採取装置を改良土層２１から引き上げる。
【００３２】
各底付き筒１０内に収容されている改良土を検査すると、改良土層２１内の各深度における改良土の混合撹拌の程度が判明する。
【００３３】
実施例１を下記のように改造することができる。
【００３４】
連結棒４〜６の左右両側の各固定解除部材７を固定専用部材に替えることができる。また、連結棒４〜６の右側の各固定解除部材７を除去して、連結棒４〜６の右端部を直接各スリーブ８に固定するように設計変更することができる。更に、各スリーブ８を第２の円柱２に固定し、連結棒４〜６の右端部が各スリーブ８にはまるように設計変更することができる。
【００３５】
各固定解除部材９，１１を固定専用部材に替えることができる。
【００３６】
第１，２の円柱１，２を角柱に替えることができる。
【図面の簡単な説明】
【００３７】
【図１】本発明の実施例１の未固化試料の採取装置の諸正面図であり、（Ａ）は同採取装置が改良土層に圧入された状態、（Ｂ）は同採取装置における第２の円柱が上方にスライドされた状態、（Ｃ）は同採取装置における第１の円柱が第２の円柱と同じ高さの位置までスライドされた状態を、それぞれ示す。
【図２】同採取装置におけるスライド部を中心とする正面図であり、円内は第２の円柱と固定解除部材とスリーブの拡大斜視図である。
【図３】従来の未固化試料の採取手段の断面図である。
【符号の説明】
【００３８】
１  第１の円柱
２  第２の円柱
３〜６  連結棒
７  固定解除部材
８  スリーブ
９  固定解除部材
１０  底付き筒
１１  固定解除部材
１２  上蓋
１３  ワイヤ
１４  フック
２１  改良土層
２１ａ  改良天端（表面）
２１ｂ  改良底面
【図１】
2008101415.tif 000003
【図２】
2008101415.tif 000004
【図３】
2008101415.tif 000005